(57)【要約】      （修正有）【課題】より装飾性に富むネック服飾品及びそのネック服飾品の使用方法を提供する。【解決手段】上着のボタンとボタンのボタン穴に取付けて使用する服飾品であって、ボタン穴の表側と裏側に組付く二つのボタン部を連結材で連結し、連結材がボタン穴に挿通された仮ボタンと、ボタン及び仮ボタンのそれぞれに組付き装飾性に富む二つの装飾ボタンと、二つの装飾ボタン同士を連結し、かつ、装飾性に富む装飾連結体と、からなり、二つの装飾ボタンはそれぞれ中空で、ボタン又は仮ボタンの表面側の全面を覆う表面部４１と、表面部４１にヒンジ４４によって連結されボタン又は仮ボタンの裏面側の一部を覆う裏面部４２と、をそれぞれ備え、裏面部４２に切欠部４３が設けられ、しかも縦断面が、上底４１ａよりも下底４１ｂが長い台形状である。【選択図】図３
2012157618.tif 000002
【特許請求の範囲】
【請求項１】
上着のボタンと前記ボタンのボタン穴に取付けて使用する服飾品であって、
前記ボタン穴の表側と裏側に組付く二つのボタン部を連結材で連結し、前記連結材が前記ボタン穴に挿通された仮ボタンと、
前記ボタン及び前記仮ボタンのそれぞれに組付き、前記ボタン及び前記仮ボタンの少なくとも表面側を覆い、装飾性に富む二つの装飾ボタンと、
前記二つの装飾ボタン同士を連結し、かつ、装飾性に富む装飾連結体と、からなり、
前記二つの装飾ボタンはそれぞれ中空で、その裏面には切欠部が設けられ、しかも縦断面が、上底よりも下底が長い台形状で、
前記ボタンを前記上着に留める連結糸及び前記仮ボタンの連結材を、前記切欠部に嵌め込んで、前記二つの装飾ボタンを前記ボタン及び前記仮ボタンにそれぞれ組付けることを特徴とするネック服飾品。
【請求項２】
上着のボタンと前記ボタンのボタン穴に取付けて使用する服飾品であって、
前記ボタン穴の表側と裏側に組付く二つのボタン部を連結材で連結し、前記連結材が前記ボタン穴に挿通された仮ボタンと、
前記ボタン及び前記仮ボタンのそれぞれに組付き、前記ボタン及び前記仮ボタンの少なくとも表面側を覆い、装飾性に富む二つの装飾ボタンと、
前記二つの装飾ボタン同士を連結し、かつ、装飾性に富む装飾連結体と、からなり、
前記二つの装飾ボタンはそれぞれ中空で、その裏面には切欠部が設けられ、しかも縦断面が矩形状で、
前記ボタンを前記上着に留める連結糸及び前記仮ボタンの連結材を、前記切欠部に嵌め込んで、前記二つの装飾ボタンを前記ボタン及び前記仮ボタンにそれぞれ組付けることを特徴とするネック服飾品。
【請求項３】
前記二つの装飾ボタンは、前記ボタン又は前記仮ボタンの表面側の全面を覆う表面部と、前記表面部にヒンジによって連結され前記ボタン又は前記仮ボタンの裏面側の一部を覆う裏面部と、をそれぞれ備え、
前記裏面部に前記切欠部が設けられたことを特徴とする請求項１又は２に記載のネック服飾品。
【請求項４】
前記ヒンジは前記装飾ボタンの上部に、前記切欠部は前記装飾ボタンの下部に、それぞれ設けられたことを特徴とする請求項３に記載のネック服飾品。
【請求項５】
前記仮ボタンの連結材の径は、前記ボタン穴の裏側よりも表側が小さく形成されたことを特徴とする請求項１乃至４のうちいずれか一つに記載のネック服飾品。
【請求項６】
上着のボタンと前記ボタンのボタン穴に取付けて使用する服飾品であって、
前記ボタン穴を通過しない大径部と、前記ボタン穴を通過し、その中心部で回動して前記大径部を前記ボタン穴に組付ける小径棒とを備えるカフスボタンと、
前記ボタンに組付き、前記ボタンの少なくとも表面側を覆い、装飾性に富む装飾ボタンと、
前記カフスボタンと前記装飾ボタンとを連結し、かつ、装飾性に富む装飾連結体と、からなり、
前記装飾ボタンは、前記ボタンの表面側の全面を覆う表面部と、前記表面部にヒンジによって連結され前記ボタンの裏面側の一部を覆う裏面部と、を備えるとともに、前記裏面部に切欠部が設けられ、
前記ボタンを前記上着に留める連結糸を、前記切欠部に嵌め込んで、前記装飾ボタンを前記ボタンに組付けることを特徴とするネック服飾品。
【請求項７】
前記装飾ボタンは、縦断面が、上底よりも下底が長い台形状であることを特徴とする請求項６に記載のネック服飾品。
【請求項８】
請求項１乃至５に記載のネック服飾品の使用方法であって、
ワイシャツの第一ボタンのボタン穴に前記仮ボタンを組付け、前記第一ボタン及び前記仮ボタンに前記二つの装飾ボタンをそれぞれ組付けることを特徴とするネック服飾品の使用方法。
【請求項９】
請求項６又は７に記載のネック服飾品の使用方法であって、
ワイシャツの第一ボタンのボタン穴に前記カフスボタンを組付け、前記第一ボタンに前記装飾ボタンを組付けることを特徴とするネック服飾品の使用方法。
【発明の詳細な説明】
【技術分野】
【０００１】
本発明は、男性であればネクタイの代わりとして、また、女性であれば胸元の装飾品として使用することのできるネック服飾品及びそのネック服飾品の使用方法に関するものである。
【背景技術】
【０００２】
一般に、男性が正装する場合には、ワイシャツの第一ボタンを嵌めてネクタイを着用し、また、女性が正装する場合には、胸元などにブローチ等の装飾品を飾り付けることが多い。
【０００３】
一方、地球温暖化防止の観点から、夏場であってもクーラーを効かせ過ぎないようにし、その代わりに職場でも軽装、特にネクタイを着用しない所謂クールビズが広まってきた。
ところが、ネクタイを着用しないと胸元が整然としないので、クールビズであっても、だらしなく感じてしまう人もいる。
【０００４】
そこで本出願人は、ネクタイに代えて、図１４及び図１５に示すようなネック服飾品１００を使用することについて提案している（特許文献１）。
【先行技術文献】
【特許文献】
【０００５】
【特許文献１】特許第３９２９０５５号公報
【０００６】
このネック服飾品１００は、ワイシャツＳの第一ボタンＢに組付く装飾ボタン１０と、第一ボタンＢのボタン穴Ｈに組付く装飾部材２０と、装飾ボタン１０と装飾部材２０とを連結する紐体３０とからなる。
装飾ボタン１０は、中空であり、第一ボタンＢの表面側の全面を覆う表面部１１と、第一ボタンＢの裏面側の一部を覆う裏面部１２を備え、その裏面部１２には紐体３０と連結される部位寄りに切欠部１３が設けられている。
この装飾ボタン１０は金属板を曲げ加工することにより一体的に形成されている。装飾ボタン１０の周面のうち紐体３０と連結される部位側が開口しており、その他の周面は表面部１１及び裏面部１２と連続している。
そして、その周面の開口部分に第一ボタンＢを嵌め込んで組付けるようになっている。
【０００７】
装飾部材２０は、ボタン穴Ｈの表側と裏側に組付く二つのボタン部２１を、鎖状の連結材２２で連結してなる。両ボタン部２１は、その径をボタン穴Ｈに挿通可能な大きさにしている。
また、紐体３０は、金属製のチェーンである。
そして、装飾ボタン１０、装飾部材２０、及び紐体３０はいずれも光沢があり、装飾性に富むもので形成している。
【０００８】
このネック服飾品１００によると、装飾ボタン１０、装飾部材２０、及び紐体３０はいずれも光沢があり、装飾性に富むので、これを着用することによって胸元を豪華に装飾することができる。
また、ネック服飾品１００を着用していると、軽装感があるにもかかわらず、整然とした印象を周囲に与えることができるので、クールビズにおいてネクタイの代用品となる。
一方、このネック服飾品１００は図１６に示すように、女性用としても使用することが可能で、この場合、ブローチ等の一般の服飾品の代わりになる。
【発明の概要】
【発明が解決しようとする課題】
【０００９】
しかしながら、ワイシャツＳの第一ボタンＢを嵌めないと、襟Ｎ等の自重によって襟元が前傾しており、図１７に示すように、この状態で第一ボタンＢやボタン穴Ｈにネック服飾品１００を着用するようになってしまう。そして、ネック服飾品１００の自重も加わるので、取付けられたネック服飾品１００はさらに前傾してしまう。
これでは、ネック服飾品１００が目立ち難くなるので、装飾性に富むネック服飾品１００であっても、その装飾効果が半減してしまうという問題があった。
【００１０】
そこで、本発明の目的とするところは、より装飾性に富むネック服飾品及びそのネック服飾品の使用方法を提供することにある。
【課題を解決するための手段】
【００１１】
上記の目的を達成するために、本発明の請求項１に記載のネック服飾品（２００）は、上着（Ｓ）のボタン（Ｂ）と前記ボタン（Ｂ）のボタン穴（Ｈ）に取付けて使用する服飾品であって、前記ボタン穴（Ｈ）の表側と裏側に組付く二つのボタン部（５１Ａ，５１Ｂ）を連結材（５２）で連結し、前記連結材（５２）が前記ボタン穴（Ｈ）に挿通された仮ボタン（５０）と、前記ボタン（Ｂ）及び前記仮ボタン（５０）のそれぞれに組付き、前記ボタン（Ｂ）及び前記仮ボタン（５０）の少なくとも表面側を覆い、装飾性に富む二つの装飾ボタン（４０）と、前記二つの装飾ボタン（４０）同士を連結し、かつ、装飾性に富む装飾連結体（６０）と、からなり、前記二つの装飾ボタン（４０）はそれぞれ中空で、その裏面には切欠部（４３）が設けられ、しかも縦断面が、上底（４１ａ）よりも下底（４１ｂ）が長い台形状で、前記ボタン（Ｂ）を前記上着（Ｓ）に留める連結糸（Ｔ）及び前記仮ボタン（５０）の連結材（５２）を、前記切欠部（４３）に嵌め込んで、前記二つの装飾ボタン（４０）を前記ボタン（Ｂ）及び前記仮ボタン（５０）にそれぞれ組付けることを特徴とする。
【００１２】
また、請求項２に記載のネック服飾品（２００）は、上着（Ｓ）のボタン（Ｂ）と前記ボタン（Ｂ）のボタン穴（Ｈ）に取付けて使用する服飾品であって、前記ボタン穴（Ｈ）の表側と裏側に組付く二つのボタン部（５１Ａ，５１Ｂ）を連結材（５２）で連結し、前記連結材（５２）が前記ボタン穴（Ｈ）に挿通された仮ボタン（５０）と、前記ボタン（Ｂ）及び前記仮ボタン（５０）のそれぞれに組付き、前記ボタン（Ｂ）及び前記仮ボタン（５０）の少なくとも表面側を覆い、装飾性に富む二つの装飾ボタン（４０）と、前記二つの装飾ボタン（４０）同士を連結し、かつ、装飾性に富む装飾連結体（６０）と、からなり、前記二つの装飾ボタン（４０）はそれぞれ中空で、その裏面には切欠部（４３）が設けられ、しかも縦断面が矩形状で、前記ボタン（Ｂ）を前記上着（Ｓ）に留める連結糸（Ｔ）及び前記仮ボタン（５０）の連結材（５２）を、前記切欠部（４３）に嵌め込んで、前記二つの装飾ボタン（４０）を前記ボタン（Ｂ）及び前記仮ボタン（５０）にそれぞれ組付けることを特徴とする。
【００１３】
また、請求項３に記載のネック服飾品（２００）は、前記二つの装飾ボタン（４０）は、前記ボタン（Ｂ）又は前記仮ボタン（５０）の表面側の全面を覆う表面部（４１）と、前記表面部（４１）にヒンジ（４４）によって連結され前記ボタン（Ｂ）又は前記仮ボタン（５０）の裏面側の一部を覆う裏面部（４２）と、をそれぞれ備え、前記裏面部（４２）に前記切欠部（４３）が設けられたことを特徴とする。
【００１４】
また、請求項４に記載のネック服飾品（２００）は、前記ヒンジ（４４）は前記装飾ボタン（４０）の上部に、前記切欠部（４３）は前記装飾ボタン（４０）の下部に、それぞれ設けられたことを特徴とする。
【００１５】
また、請求項５に記載のネック服飾品（２００）は、前記仮ボタン（５０）の連結材（５２）の径は、前記ボタン穴（Ｈ）の裏側（５２ｂ）よりも表側（５２ａ）が小さく形成されたことを特徴とする。
【００１６】
また、請求項６に記載のネック服飾品（２００）は、上着（Ｓ）のボタン（Ｂ）と前記ボタン（Ｂ）のボタン穴（Ｈ）に取付けて使用する服飾品であって、前記ボタン穴（Ｈ）を通過しない大径部（５４）と、前記ボタン穴（Ｈ）を通過し、その中心部で回動して前記大径部（５４）を前記ボタン穴（Ｈ）に組付ける小径棒（５５）とを備えるカフスボタン（５３）と、前記ボタン（Ｂ）に組付き、前記ボタン（Ｂ）の少なくとも表面側を覆い、装飾性に富む装飾ボタン（４０）と、前記カフスボタン（５３）と前記装飾ボタン（４０）とを連結し、かつ、装飾性に富む装飾連結体（６０）と、からなり、前記装飾ボタン（４０）は、前記ボタン（Ｂ）の表面側の全面を覆う表面部（４１）と、前記表面部（４１）にヒンジ（４４）によって連結され前記ボタン（Ｂ）の裏面側の一部を覆う裏面部（４２）と、を備えるとともに、前記裏面部（４２）に切欠部（４３）が設けられ、前記ボタン（Ｂ）を前記上着（Ｓ）に留める連結糸（Ｔ）を、前記切欠部（４３）に嵌め込んで、前記装飾ボタン（４０）を前記ボタン（Ｂ）に組付けることを特徴とする。
【００１７】
また、請求項７に記載のネック服飾品（２００）は、前記装飾ボタン（４０）は、縦断面が、上底（４１ａ）よりも下底（４１ｂ）が長い台形状であることを特徴とする。
【００１８】
また、請求項８に記載のネック服飾品（２００）の使用方法は、ワイシャツ（Ｓ）の第一ボタン（Ｂ）のボタン穴（Ｈ）に前記仮ボタン（５０）を組付け、前記第一ボタン（Ｂ）及び前記仮ボタン（５０）に前記二つの装飾ボタン（４０）をそれぞれ組付けることを特徴とする。
【００１９】
また、請求項９に記載のネック服飾品（２００）の使用方法は、ワイシャツ（Ｓ）の第一ボタン（Ｂ）のボタン穴（Ｈ）に前記カフスボタン（５３）を組付け、前記第一ボタン（Ｂ）に前記装飾ボタン（４０）を組付けることを特徴とする。
【００２０】
ここで、上記括弧内の記号は、図面および後述する発明を実施するための形態に掲載された対応要素または対応事項を示す。
【発明の効果】
【００２１】
本発明の請求項１に記載のネック服飾品によれば、ボタン及び仮ボタンのそれぞれに組付き、ボタン及び仮ボタンの少なくとも表面側を覆い、装飾性に富む二つの装飾ボタンと、二つの装飾ボタン同士を連結し、かつ、装飾性に富む装飾連結体と、からなるので、男性の場合には、ネクタイの代わりとして、また、装飾性に富む服飾品として着用することができる。さらに、スーツに対しても装着することができる。
また、女性の場合には、ブローチ等の一般服飾品のように着用することができ、周囲におしゃれ感と同時に整然とした印象を与えることができる。
【００２２】
さらに、二つの装飾ボタンは縦断面が、上底よりも下底が長い台形状であるので、特に、ネック服飾品をワイシャツに装着する場合には、ワイシャツの第一ボタンを嵌めないことで襟等の自重によって襟元が前傾していても、装飾ボタンの表面側が真っ直ぐに前を向く。すなわち、縦断面が台形状なので、前傾した襟元に装飾ボタンの裏面側が沿うことで、反対側の装飾ボタンの表面側が略鉛直状態となり、装飾ボタンの表面側を目立たせることができる。よって、ネック服飾品の装飾効果が高い。
また、装飾ボタンは縦断面が台形状なので、装飾ボタンをボタン及び仮ボタンに組付けるときに、ユーザーはその様子を上から視認し易く、装飾ボタンの組付けが容易である。
【００２３】
また、請求項２に記載のネック服飾品によれば、ボタン及び仮ボタンのそれぞれに組付き、ボタン及び仮ボタンの少なくとも表面側を覆い、装飾性に富む二つの装飾ボタンと、二つの装飾ボタン同士を連結し、かつ、装飾性に富む装飾連結体と、からなるので、男性の場合には、ネクタイの代わりとして、また、装飾性に富む服飾品として着用することができる。さらに、スーツに対しても装着することができる。
また、女性の場合には、ブローチ等の一般服飾品のように着用することができ、周囲におしゃれ感と同時に整然とした印象を与えることができる。
さらに、二つの装飾ボタンは縦断面が矩形状であるので、本来左側に装着すべき装飾ボタンを右側に装着してネック服飾品を上下逆に装着しても、ネック服飾品を装着したときの見た目は変わらない。したがって、ユーザーはネック服飾品の左右の方向性を気にすることなく着用することができる。
【００２４】
また、請求項３に記載のネック服飾品によれば、請求項１又は２に記載の発明の作用効果に加え、二つの装飾ボタンは、中空で、しかもボタン又は仮ボタンの表面側の全面を覆う表面部と、表面部にヒンジによって連結されボタン又は仮ボタンの裏面側の一部を覆う裏面部と、をそれぞれ備えるので、表面部と裏面部とを係合させることで、ネック服飾品の装着中に、第一ボタン又は仮ボタンに取付けられた装飾ボタンが勝手に外れてしまうということが発生し難い。
【００２５】
また、請求項４に記載のネック服飾品によれば、請求項３に記載の発明の作用効果に加え、ヒンジは装飾ボタンの上部に、切欠部は装飾ボタンの下部に、それぞれ設けられたので、表面部と裏面部を係合していない状態で、ボタン又は仮ボタンに対して、裏面部を上から下にスライドさせた後、表面部と裏面部とを係合させるだけで、装飾ボタンを容易に装着することができる。
【００２６】
また、請求項５に記載のネック服飾品によれば、請求項１乃至４に記載の発明の作用効果に加え、仮ボタンの連結材の径は、ボタン穴の裏側よりも表側が小さく形成されたので、連結材の径が大きい部分によって仮ボタンとボタン穴との組付け強度を保ちつつ、連結材の径が小さい部分を切欠部に嵌め込む際に、その嵌め込みをスムーズに行うことができる。
【００２７】
また、請求項６に記載のネック服飾品によれば、ボタン穴を通過しない大径部と、ボタン穴を通過し、その中心部で回動して大径部をボタン穴に組付ける小径棒とを備えるカフスボタンと、ボタンに組付き、ボタンの少なくとも表面側を覆い、装飾性に富む装飾ボタンと、カフスボタンと装飾ボタンとを連結し、かつ、装飾性に富む装飾連結体と、からなるので、装飾ボタンの装飾効果を得つつ、カフスボタンが持つ特有の豪華で重厚な装飾効果も得ることができる。
また、装飾ボタンは、ボタンの表面側の全面を覆う表面部と、表面部にヒンジによって連結されボタンの裏面側の一部を覆う裏面部と、を備えるとともに、裏面部に切欠部が設けられるので、表面部と裏面部とを係合させることで、ボタンに取付けられた装飾ボタンが外れてしまうということが発生し難い。
【００２８】
また、請求項７に記載のネック服飾品によれば、請求項６に記載の発明の作用効果に加え、装飾ボタンは、縦断面が、上底よりも下底が長い台形状であるので、特に、ネック服飾品をワイシャツに装着する場合には、ワイシャツの第一ボタンを嵌めないことで襟等の自重によって襟元が前傾していても、その前傾した襟元に装飾ボタンの裏面側が沿うとともに、装飾ボタンの表面側が略鉛直状態となる。よって、カフスボタンが持つ特有の豪華で重厚な装飾効果を得るとともに、装飾ボタンの表面側を目立たせることができるので、ネック服飾品の装飾効果が高い。
また、装飾ボタンは縦断面が台形状なので、装飾ボタンをボタン及び仮ボタンに組付けるときに視認でき、その組付けが容易である。
【００２９】
また、請求項８に記載のネック服飾品の使用方法によれば、ワイシャツの第一ボタンのボタン穴に仮ボタンを組付け、第一ボタン及び仮ボタンに二つの装飾ボタンをそれぞれ組付けるので、特に請求項１に記載の発明のように装飾ボタンの縦断面が台形状の場合は、ワイシャツの第一ボタンを嵌めないことで襟等の自重によって襟元が前傾していても、装飾ボタンの表面側が真っ直ぐに前を向く。すなわち、縦断面が台形状なので、前傾した襟元に装飾ボタンの裏面側が沿うことで、反対側の装飾ボタンの表面側が略鉛直状態となり、装飾ボタンの表面側が目立たせることができる。よって、ネック服飾品の装飾効果が高い。
また、装飾ボタンは縦断面が台形状なので、装飾ボタンをボタン及び仮ボタンに組付けるときに視認でき、その組付けが容易である。
【００３０】
また、請求項９に記載のネック服飾品の使用方法によれば、ワイシャツの第一ボタンのボタン穴にカフスボタンを組付け、第一ボタンに装飾ボタンを組付けるので、同様に、特に請求項７に記載の発明のように装飾ボタンの縦断面が台形状の場合は、カフスボタンが持つ特有の豪華で重厚な装飾効果を得るとともに、装飾ボタンの表面側を目立たせることができるので、ネック服飾品の装飾効果が高い。
【００３１】
なお、本発明のネック服飾品及びネック服飾品の使用方法のように、装飾ボタンの縦断面を台形状とする点は、上述した特許文献１には全く記載されていない。
【図面の簡単な説明】
【００３２】
【図１】本発明の第一実施形態に係るネック服飾品を示す正面図である。
【図２】図１に示すネック服飾品の平面図である。
【図３】図１に示すネック服飾品における装飾ボタンを示す、図１のＣ−Ｃ線拡大断面図である。
【図４】図１に示すネック服飾品における装飾ボタンの裏面部を示す拡大正面図である。
【図５】図１に示すネック服飾品における仮ボタンを示す拡大平面図である。
【図６】本発明の第一実施形態に係るネック服飾品をワイシャツに装着した場合の、図１４のＡ−Ａ線拡大断面図である。
【図７】本発明の第一実施形態に係るネック服飾品をワイシャツに装着した場合の要部拡大縦断面図である。
【図８】本発明の第二実施形態に係るネック服飾品における装飾ボタンを示す拡大縦断面図である。
【図９】本発明の第三実施形態に係るネック服飾品における装飾ボタンを示す、図１のＣ−Ｃ線拡大断面図である。
【図１０】本発明の第四実施形態に係るネック服飾品におけるカフスボタンを示す斜視図である。
【図１１】本発明の第四実施形態に係るネック服飾品における別のカフスボタンを示す斜視図である。
【図１２】本発明の他の実施形態に係るネック服飾品における装飾ボタンを示す拡大縦断面図である。
【図１３】本発明の他の実施形態に係るネック服飾品をワイシャツに装着した場合の要部拡大縦断面図である。
【図１４】ネック服飾品をワイシャツに装着した状態を示す正面図である。
【図１５】従来例に係るネック服飾品をワイシャツに装着した場合の、図１４のＡ−Ａ線拡大断面図である。
【図１６】ネック服飾品を女性用スーツに装着した状態を示す正面図である。
【図１７】従来例に係るネック服飾品をワイシャツに装着した場合の要部拡大縦断面図である。
【発明を実施するための形態】
【００３３】
（第一実施形態）
図１乃至図７を参照して、本発明の第一実施形態に係るネック服飾品２００を説明する。なお、従来例で示したものと同一部分には同一符号を付した。
このネック服飾品２００は、ネクタイの代用品として、ワイシャツＳの第一ボタンＢと当該第一ボタンＢのボタン穴Ｈに取付けて使用する服飾品であり、図１及び図２に示すように、二つの装飾ボタン４０とその二つの装飾ボタン４０を連結する装飾連結体６０、及びボタン穴Ｈに組付けられる仮ボタン５０で構成される。
【００３４】
装飾ボタン４０は、ワイシャツＳの第一ボタンＢ及び仮ボタン５０のそれぞれに組付き、第一ボタンＢ及び仮ボタン５０の表面側の全面と、裏面側の一部を覆う。ここでは二つの装飾ボタン４０を同一形状とした。この装飾ボタン４０は、金属製で金色や銀色等の光沢を持ち、装飾性に富む。
詳しくは、装飾ボタン４０はカップ状の表面部４１と、蓋状の裏面部４２とを備える。
表面部４１は、図３に示すように、正面視が円形であって、縦断面が、上底４１ａよりも下底４１ｂが長い略コ字状となっている。なお、上底４１ａ部分の前後の長さは、下底４１ｂ部分の前後の長さの略半分であり、上底４１ａ部分と下底４１ｂ部分は表面部４１の正面部４１ｃに対して略垂直に形成されている。表面部４１の上下・左右の内寸は第一ボタンＢや仮ボタン５０の径よりも大きく、第一ボタンＢ又は仮ボタン５０の表面側の全面を覆うことが可能である。
【００３５】
また、裏面部４２は、図３及び図４に示すように、表面部４１にヒンジ４４によって連結され、表面部４１の裏蓋となって、第一ボタンＢ又は仮ボタン５０の裏面側の一部を覆う。
このように装飾ボタン４０は全体として中空であり、縦断面が、上底４１ａよりも下底４１ｂが長い台形状となっている。
裏面部４２のヒンジ４４は、裏面部４２の上部の一部を表面部４１側に曲げ加工して断面略Ｃ字状に形成されており、表面部４１の上底４１ａ後端に巻き付くようになっている。これにより裏面部４２はヒンジ４４を中心にして、表面部４１に対して回動自在になっている。
【００３６】
加えて、裏面部４２には下部（下方）に開口した切欠部４３が設けられている。その切欠部４３は、裏面部４２の下端４２ａから中央４２ｂまで徐々に幅が狭くなるように形成されており、中央４２ｂでは円形に切り欠かれている。裏面部４２の下端４２ａでの切欠部４３の幅と、中央４２ｂの切り欠かれた円形の径は略等しく、これらは仮ボタン５０の連結材５２のボタン穴Ｈの表側５２ａの径より若干大きい。この中央４２ｂの円形により、第一ボタンＢや仮ボタン５０を装飾ボタン４０の略中央で係止させることができる。
さらに切欠部４３は、中央４２ｂから左右斜め上方略４５度の方向に向かって形成されており、その先端には小円形が形成されている。この斜め上方略４５度の方向に延びた部分の幅は、中央４２ｂの円形の径の略１／４程度である。この幅狭の斜め上方略４５度の方向に延びる部分を設けていることにより、この部分が、仮ボタン５０の連結材５２を切欠部４３に嵌める際の逃げとなっており、連結材５２を嵌め易くなっている。
なお、切欠部４３の形状は、第一ボタンＢや仮ボタン５０を装飾ボタン４０の略中央で係止させることができればこれに限られるものではない。
また、裏面部４２の左右両側には、表面部４１と係合する爪４５がそれぞれ形成されており、表面部４１側に延びて断面Ｌ字状となっている。第一ボタンＢや仮ボタン５０を装飾ボタン４０に嵌める際に、爪４５が第一ボタンＢや仮ボタン５０のボタン部５１Ａと干渉しないように配置されている。爪４５が第一ボタンＢや仮ボタン５０に干渉しないならば、爪４５を他の位置に形成してもよい。
【００３７】
装飾連結体６０は、図１に示すように、二つの装飾ボタン４０同士を連結するもので、かつ、光沢があり装飾性に富む。ここでは、装飾連結体６０は、左右に孔部６１が形成された金属板を湾曲させてなるが、チェーンであっても、紐体であってもよい。また、装飾ボタン４０と同じように、装飾連結体６０の縦断面を台形状としてもよい。
【００３８】
仮ボタン５０は、図５に示すように、ボタン穴Ｈの表側と裏側に組付く二つのボタン部５１Ａ，５１Ｂを連結材５２で連結したボビン状のボタンであり、連結材５２をボタン穴Ｈに挿通して使用する。
ボタン穴Ｈの表側のボタン部５１Ａと、ボタン穴Ｈの裏側のボタン部５１Ｂは、互いに径が略等しく、第一ボタンＢの径とも略等しい。このボタン部５１Ａ，５１Ｂの径は連結材５２の径よりは大きいが、ボタン穴Ｈを挿通可能な大きさである。
また、ボタン穴Ｈの表側のボタン部５１Ａはその表側のみがＲ形状に加工されており、一方、ボタン穴Ｈの裏側のボタン部５１Ｂはその表側及び裏側の両方がＲ形状に加工されている。このＲ加工を施した箇所の違いにより、ユーザーは一目でいずれのボタン部５１Ａ，５１Ｂを表側とするかがわかる。
そして、連結材５２はテーパー状となっており、連結材５２の径は、ボタン穴Ｈの裏側５２ｂよりも表側５２ａが小さく形成されている。
なお、仮ボタン５０は金属製であって、一体的に形成されている。
【００３９】
次に、このように構成されたネック服飾品２００の使用方法について説明する。
まず、ワイシャツＳの第一ボタンＢをボタン穴Ｈに嵌めていない状態から始める。
そして、ワイシャツＳの第一ボタンＢのボタン穴Ｈに仮ボタン５０を組付ける。
次に、左側の装飾ボタン４０の裏面部４２の爪４５を表面部４１に係合させていない状態で、仮ボタン５０の連結材５２を装飾ボタン４０の切欠部４３に嵌め込む。このとき、裏面部４２を仮ボタン５０の連結材５２に対して、上から下にスライドさせるようにする。
次に、左側の装飾ボタン４０の裏面部４２の爪４５を表面部４１に係合させる。
【００４０】
同様に、右側の装飾ボタン４０の裏面部４２の爪４５を表面部４１に係合させていない状態で、第一ボタンＢをワイシャツＳに留めている連結糸Ｔを、装飾ボタン４０の切欠部４３に嵌め込み、その後、右側の装飾ボタン４０の裏面部４２の爪４５を表面部４１に係合させる。
このようにして、図６に示すように、二つの装飾ボタン４０を第一ボタンＢ及び仮ボタン５０にそれぞれ組付ける。
【００４１】
以上のように構成及び使用されるネック服飾品２００によれば、第一ボタンＢ及び仮ボタン５０のそれぞれに組付き、第一ボタンＢ及び仮ボタン５０の少なくとも表面側を覆い、装飾性に富む二つの装飾ボタン４０と、二つの装飾ボタン４０同士を連結し、かつ、装飾性に富む装飾連結体６０と、からなるので、ネクタイの代わりとして、また、装飾性に富む服飾品として着用することができる。
【００４２】
さらに、二つの装飾ボタン４０は縦断面が、上底４１ａよりも下底４１ｂが長い台形状であるので、本実施形態のように、ネック服飾品２００をワイシャツＳに装着した場合には、ワイシャツＳの第一ボタンＢを嵌めないことで襟Ｎ等の自重によって襟元が前傾していても、図７に示すように、装飾ボタン４０の表面部４１が真っ直ぐに前を向く。すなわち、縦断面が台形状なので、前傾した襟元に装飾ボタン４０の裏面部４２が沿うことで、反対側の装飾ボタン４０の表面部４１が略鉛直状態となり、装飾ボタン４０の表面部４１を目立たせることができる。よって、ネック服飾品２００の装飾効果が高い。
また、装飾ボタン４０は縦断面が台形状なので、装飾ボタン４０を第一ボタンＢ及び仮ボタン５０に組付けるときに、ユーザーはその様子を上から視認し易く、装飾ボタン４０の組付けが容易である。
【００４３】
また、装飾ボタン４０は中空で、しかも表面部４１と裏面部４２とを備えるので、表面部４１と裏面部４２とを係合させることで、ネック服飾品２００の装着中に、第一ボタンＢ又は仮ボタン５０に取付けられた装飾ボタン４０が勝手に外れてしまうということが発生し難い。
また、ヒンジ４４は装飾ボタン４０の上部に、切欠部４３は装飾ボタン４０の下部に、それぞれ設けられたので、表面部４１と裏面部４２を係合していない状態で、第一ボタンＢ又は仮ボタン５０に対して、裏面部４２を上から下にスライドさせた後、表面部４１と裏面部４２とを係合させるだけで、装飾ボタン４０を容易に装着することができる。
【００４４】
さらに、仮ボタン５０の連結材５２の径は、ボタン穴Ｈの裏側５２ｂよりも表側５２ａが小さく形成されたので、連結材５２の径が大きい部分５２ｂによって仮ボタン５０とボタン穴Ｈとの組付け強度を保ちつつ、連結材５２の径が小さい部分５２ａを切欠部４３に嵌め込む際に、その嵌め込みをスムーズに行うことができる。
【００４５】
（第二実施形態）
次に図８を参照して、本発明の第二実施形態に係るネック服飾品２００を説明する。なお、第一実施形態と同一部分には同一符号を付した。
第一実施形態では装飾ボタン４０を表面部４１と裏面部４２の二部品で構成したが、本実施形態では装飾ボタン４０を一体的に一部品として形成した。その他の構成要素に関しては第一実施形態と同一である。
すなわち、装飾ボタン４０は一体的に形成されているが、その縦断面はやはり、上底４１ａよりも下底４１ｂが長い台形状であり、下底４１ｂの後端及び裏面に切欠部４３が設けられている。そして、装飾ボタン４０を上から下にスライドさせて、第一ボタンＢや仮ボタン５０に取付ける。
このように装飾ボタン４０が一体物であっても、ワイシャツＳに装着すると装飾ボタン４０の表面側が真っ直ぐに前を向き、よく目立つ。
【００４６】
（第三実施形態）
次に図９を参照して、本発明の第三実施形態に係るネック服飾品２００を説明する。なお、第一実施形態と同一部分には同一符号を付した。
本実施形態の第一実施形態との違いは、装飾ボタン４０の表面部４１の縦断面がコ字状であって、装飾ボタン４０全体としては、縦断面が矩形状となっている点であり、その他の構成要素に関しては第一実施形態と同一である。
このように装飾ボタン４０の縦断面が矩形状であると、本来左側に装着すべき装飾ボタン４０を右側に装着してネック服飾品２００を上下逆に装着しても、ネック服飾品２００を装着したときの見た目は変わらない。したがって、ユーザーはネック服飾品２００の左右の方向性を気にすることなく着用することができる。
【００４７】
（第四実施形態）
次に図１０を参照して、本発明の第四実施形態に係るネック服飾品２００を説明する。
このネック服飾品２００は、一方の装飾ボタン４０及び仮ボタン５０の組合せに代えて、大径部５４と小径棒５５を接続棒５６で接続し、小径棒５５をその中心部で回動自在とし、回動して大径部５４をボタン穴Ｈに組付けるカフスボタン５３としたものである。このネック服飾品２００は、カフスボタン５３の持つ豪華で重厚な装飾性によって、特有の装飾効果を得ることができる。
なお、図１１で示すように、大径部５７を、装飾ボタン４０と同じ円形状で同じ大きさにして見栄え良くすることもできる。さらに、小径棒５５を円形状の小径部５８に固定することもできる。小径部５８はボタン穴Ｈに挿入できる程度の大きさである。
【００４８】
なお、第一、第三実施形態において、ヒンジ４４を装飾ボタン４０の上部に、切欠部４３を装飾ボタン４０の下部にそれぞれ設けたが、これらの位置はこれに限られるものではない。但し、ヒンジ４４と切欠部４３は、裏面部４２において互いに反対側であることが好ましい。
また、表面部４１をカップ状、裏面部４２を蓋状としたが、これに限られるものではなく、表面部４１を蓋状、裏面部４２をカップ状としてもよい。
【００４９】
また、装飾ボタン４０の表面部４１の縦断面における上底４１ａ部分と下底４１ｂ部分を正面部４１ｃに対して略垂直にしたが、図１２に示すように、それらを裏面部４２に対して略垂直としてもよい。このとき、正面部４１ｃが傾いた状態となるが、この場合も装飾ボタン４０としては縦断面が台形状であるので、ネック服飾品２００をワイシャツＳに装着すると図１３に示すように、やはり装飾ボタン４０の表面部４１が真っ直ぐに前を向き、よく目立つ。
また、表面部４１の正面部４１ｃを円形としたが、円形に限られるものではない。
【００５０】
また、第一乃至第三実施形態において、二つの装飾ボタン４０は同一形状としたが、これに限られるものではない。
また、仮ボタン５０の連結材５２の径は、前記ボタン穴Ｈの裏側５２ｂよりも表側５２ａが小さく形成されたが、これに限られるものではなく、連結材５２は円柱体であってもよい。
さらに、仮ボタン５０は一体物としたが、これに限られるものではなく、例えば二部品で構成されていてもよい。
また仮ボタン５０は樹脂製であってもよく、軽量であれば他の材質であってもよい。
【００５１】
また、ワイシャツＳの第一ボタンＢに装飾ボタン４０を組付けたが、スーツのボタンＢに組付けてもよい。
もちろん、従来例に係るネック服飾品１００と同じように、女性が本実施形態に係るネック服飾品２００をブローチ等の一般服飾品のように着用することもでき、周囲におしゃれ感と同時に整然とした印象を与えることができる。
【符号の説明】
【００５２】
１０      装飾ボタン
１１      表面部
１２      裏面部
１３      切欠部
２０      装飾部材
２１      ボタン部
２２      連結材
３０      紐体
４０      装飾ボタン
４１      表面部
４１ａ    上底
４１ｂ    下底
４１ｃ    正面部
４２      裏面部
４２ａ    下端
４２ｂ    中央
４３      切欠部
４４      ヒンジ
４５      爪
５０      仮ボタン
５１Ａ    ボタン部
５１Ｂ    ボタン部
５２      連結材
５３      カフスボタン
５４      大径部
５５      小径棒
５６      接続棒
５７      大径部
５８      小径部
６０      装飾連結体
６１      孔部
１００      ネック服飾品
２００      ネック服飾品
Ｂ      第一ボタン（ボタン）
Ｈ      ボタン穴
Ｎ      襟
Ｓ      ワイシャツ（上着）
Ｔ      連結糸
【図１】
2012157618.tif 000003
【図２】
2012157618.tif 000004
【図３】
2012157618.tif 000005
【図４】
2012157618.tif 000006
【図５】
2012157618.tif 000007
【図６】
2012157618.tif 000008
【図７】
2012157618.tif 000009
【図８】
2012157618.tif 000010
【図９】
2012157618.tif 000011
【図１０】
2012157618.tif 000012
【図１１】
2012157618.tif 000013
【図１２】
2012157618.tif 000014
【図１３】
2012157618.tif 000015
【図１４】
2012157618.tif 000016
【図１５】
2012157618.tif 000017
【図１６】
2012157618.tif 000018
【図１７】
2012157618.tif 000019
【手続補正書】
【提出日】平成24年3月21日(2012.3.21)
【手続補正１】
【補正対象書類名】特許請求の範囲
【補正対象項目名】全文
【補正方法】変更
【補正の内容】
【特許請求の範囲】
【請求項１】
上着のボタンと前記ボタンのボタン穴に取付けて使用する服飾品であって、
前記ボタン穴の表側と裏側に組付く二つのボタン部を連結材で連結し、前記連結材が前記ボタン穴に挿通された仮ボタンと、
前記ボタン及び前記仮ボタンのそれぞれに組付き、前記ボタン及び前記仮ボタンの少なくとも表面側を覆い、装飾性に富む二つの装飾ボタンと、
前記二つの装飾ボタン同士を連結し、かつ、装飾性に富む装飾連結体と、からなり、
前記二つの装飾ボタンはそれぞれ中空で、その裏面には切欠部が設けられ、しかも縦断面が、上底よりも下底が長い台形状で、
前記ボタンを前記上着に留める連結糸及び前記仮ボタンの連結材を、前記切欠部に嵌め込んで、前記二つの装飾ボタンを前記ボタン及び前記仮ボタンにそれぞれ組付けることを特徴とするネック服飾品。
【請求項２】
前記二つの装飾ボタンは、前記ボタン又は前記仮ボタンの表面側の全面を覆う表面部と、前記表面部にヒンジによって連結され前記ボタン又は前記仮ボタンの裏面側の一部を覆う裏面部と、をそれぞれ備え、
前記裏面部に前記切欠部が設けられたことを特徴とする請求項１に記載のネック服飾品。
【請求項３】
前記ヒンジは前記装飾ボタンの上部に、前記切欠部は前記装飾ボタンの下部に、それぞれ設けられたことを特徴とする請求項２に記載のネック服飾品。
【請求項４】
前記仮ボタンの連結材の径は、前記ボタン穴の裏側よりも表側が小さく形成されたことを特徴とする請求項１乃至３のうちいずれか一つに記載のネック服飾品。
【請求項５】
上着のボタンと前記ボタンのボタン穴に取付けて使用する服飾品であって、
前記ボタン穴を通過しない大径部と、前記ボタン穴を通過し、その中心部で回動して前記大径部を前記ボタン穴に組付ける小径棒とを備えるカフスボタンと、
前記ボタンに組付き、前記ボタンの少なくとも表面側を覆い、装飾性に富む装飾ボタンと、
前記カフスボタンと前記装飾ボタンとを連結し、かつ、装飾性に富む装飾連結体と、からなり、
前記装飾ボタンは、前記ボタンの表面側の全面を覆う表面部と、前記表面部にヒンジによって連結され前記ボタンの裏面側の一部を覆う裏面部と、を備えるとともに、前記裏面部に切欠部が設けられ、
しかも装飾ボタンは、縦断面が、上底よりも下底が長い台形状であり、
前記ボタンを前記上着に留める連結糸を、前記切欠部に嵌め込んで、前記装飾ボタンを前記ボタンに組付けることを特徴とするネック服飾品。
【請求項６】
請求項１乃至４に記載のネック服飾品の使用方法であって、
ワイシャツの第一ボタンのボタン穴に前記仮ボタンを組付け、前記第一ボタン及び前記仮ボタンに前記二つの装飾ボタンをそれぞれ組付けることを特徴とするネック服飾品の使用方法。
【請求項７】
請求項５に記載のネック服飾品の使用方法であって、
ワイシャツの第一ボタンのボタン穴に前記カフスボタンを組付け、前記第一ボタンに前記装飾ボタンを組付けることを特徴とするネック服飾品の使用方法。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】変更
【補正の内容】
【００１３】
また、請求項２に記載のネック服飾品（２００）は、前記二つの装飾ボタン（４０）は、前記ボタン（Ｂ）又は前記仮ボタン（５０）の表面側の全面を覆う表面部（４１）と、前記表面部（４１）にヒンジ（４４）によって連結され前記ボタン（Ｂ）又は前記仮ボタン（５０）の裏面側の一部を覆う裏面部（４２）と、をそれぞれ備え、前記裏面部（４２）に前記切欠部（４３）が設けられたことを特徴とする。
【手続補正４】
【補正対象書類名】明細書
【補正対象項目名】００１４
【補正方法】変更
【補正の内容】
【００１４】
また、請求項３に記載のネック服飾品（２００）は、前記ヒンジ（４４）は前記装飾ボタン（４０）の上部に、前記切欠部（４３）は前記装飾ボタン（４０）の下部に、それぞれ設けられたことを特徴とする。
【手続補正５】
【補正対象書類名】明細書
【補正対象項目名】００１５
【補正方法】変更
【補正の内容】
【００１５】
また、請求項４に記載のネック服飾品（２００）は、前記仮ボタン（５０）の連結材（５２）の径は、前記ボタン穴（Ｈ）の裏側（５２ｂ）よりも表側（５２ａ）が小さく形成されたことを特徴とする。
【手続補正６】
【補正対象書類名】明細書
【補正対象項目名】００１６
【補正方法】変更
【補正の内容】
【００１６】
また、請求項５に記載のネック服飾品（２００）は、上着（Ｓ）のボタン（Ｂ）と前記ボタン（Ｂ）のボタン穴（Ｈ）に取付けて使用する服飾品であって、前記ボタン穴（Ｈ）を通過しない大径部（５４）と、前記ボタン穴（Ｈ）を通過し、その中心部で回動して前記大径部（５４）を前記ボタン穴（Ｈ）に組付ける小径棒（５５）とを備えるカフスボタン（５３）と、前記ボタン（Ｂ）に組付き、前記ボタン（Ｂ）の少なくとも表面側を覆い、装飾性に富む装飾ボタン（４０）と、前記カフスボタン（５３）と前記装飾ボタン（４０）とを連結し、かつ、装飾性に富む装飾連結体（６０）と、からなり、前記装飾ボタン（４０）は、前記ボタン（Ｂ）の表面側の全面を覆う表面部（４１）と、前記表面部（４１）にヒンジ（４４）によって連結され前記ボタン（Ｂ）の裏面側の一部を覆う裏面部（４２）と、を備えるとともに、前記裏面部（４２）に切欠部（４３）が設けられ、しかも前記装飾ボタン（４０）は、縦断面が、上底（４１ａ）よりも下底（４１ｂ）が長い台形状であり、前記ボタン（Ｂ）を前記上着（Ｓ）に留める連結糸（Ｔ）を、前記切欠部（４３）に嵌め込んで、前記装飾ボタン（４０）を前記ボタン（Ｂ）に組付けることを特徴とする。
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】変更
【補正の内容】
【００１８】
また、請求項６に記載のネック服飾品（２００）の使用方法は、ワイシャツ（Ｓ）の第一ボタン（Ｂ）のボタン穴（Ｈ）に前記仮ボタン（５０）を組付け、前記第一ボタン（Ｂ）及び前記仮ボタン（５０）に前記二つの装飾ボタン（４０）をそれぞれ組付けることを特徴とする。
【手続補正９】
【補正対象書類名】明細書
【補正対象項目名】００１９
【補正方法】変更
【補正の内容】
【００１９】
また、請求項７に記載のネック服飾品（２００）の使用方法は、ワイシャツ（Ｓ）の第一ボタン（Ｂ）のボタン穴（Ｈ）に前記カフスボタン（５３）を組付け、前記第一ボタン（Ｂ）に前記装飾ボタン（４０）を組付けることを特徴とする。
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】変更
【補正の内容】
【００２４】
また、請求項２に記載のネック服飾品によれば、請求項１に記載の発明の作用効果に加え、二つの装飾ボタンは、中空で、しかもボタン又は仮ボタンの表面側の全面を覆う表面部と、表面部にヒンジによって連結されボタン又は仮ボタンの裏面側の一部を覆う裏面部と、をそれぞれ備えるので、表面部と裏面部とを係合させることで、ネック服飾品の装着中に、第一ボタン又は仮ボタンに取付けられた装飾ボタンが勝手に外れてしまうということが発生し難い。
【手続補正１２】
【補正対象書類名】明細書
【補正対象項目名】００２５
【補正方法】変更
【補正の内容】
【００２５】
また、請求項３に記載のネック服飾品によれば、請求項２に記載の発明の作用効果に加え、ヒンジは装飾ボタンの上部に、切欠部は装飾ボタンの下部に、それぞれ設けられたので、表面部と裏面部を係合していない状態で、ボタン又は仮ボタンに対して、裏面部を上から下にスライドさせた後、表面部と裏面部とを係合させるだけで、装飾ボタンを容易に装着することができる。
【手続補正１３】
【補正対象書類名】明細書
【補正対象項目名】００２６
【補正方法】変更
【補正の内容】
【００２６】
また、請求項４に記載のネック服飾品によれば、請求項１乃至３に記載の発明の作用効果に加え、仮ボタンの連結材の径は、ボタン穴の裏側よりも表側が小さく形成されたので、連結材の径が大きい部分によって仮ボタンとボタン穴との組付け強度を保ちつつ、連結材の径が小さい部分を切欠部に嵌め込む際に、その嵌め込みをスムーズに行うことができる。
【手続補正１４】
【補正対象書類名】明細書
【補正対象項目名】００２７
【補正方法】変更
【補正の内容】
【００２７】
また、請求項５に記載のネック服飾品によれば、ボタン穴を通過しない大径部と、ボタン穴を通過し、その中心部で回動して大径部をボタン穴に組付ける小径棒とを備えるカフスボタンと、ボタンに組付き、ボタンの少なくとも表面側を覆い、装飾性に富む装飾ボタンと、カフスボタンと装飾ボタンとを連結し、かつ、装飾性に富む装飾連結体と、からなるので、装飾ボタンの装飾効果を得つつ、カフスボタンが持つ特有の豪華で重厚な装飾効果も得ることができる。
また、装飾ボタンは、ボタンの表面側の全面を覆う表面部と、表面部にヒンジによって連結されボタンの裏面側の一部を覆う裏面部と、を備えるとともに、裏面部に切欠部が設けられるので、表面部と裏面部とを係合させることで、ボタンに取付けられた装飾ボタンが外れてしまうということが発生し難い。
【手続補正１５】
【補正対象書類名】明細書
【補正対象項目名】００２８
【補正方法】変更
【補正の内容】
【００２８】
また、装飾ボタンは、縦断面が、上底よりも下底が長い台形状であるので、特に、ネック服飾品をワイシャツに装着する場合には、ワイシャツの第一ボタンを嵌めないことで襟等の自重によって襟元が前傾していても、その前傾した襟元に装飾ボタンの裏面側が沿うとともに、装飾ボタンの表面側が略鉛直状態となる。よって、カフスボタンが持つ特有の豪華で重厚な装飾効果を得るとともに、装飾ボタンの表面側を目立たせることができるので、ネック服飾品の装飾効果が高い。
また、装飾ボタンは縦断面が台形状なので、装飾ボタンをボタン及び仮ボタンに組付けるときに視認でき、その組付けが容易である。
【手続補正１６】
【補正対象書類名】明細書
【補正対象項目名】００２９
【補正方法】変更
【補正の内容】
【００２９】
また、請求項６に記載のネック服飾品の使用方法によれば、ワイシャツの第一ボタンのボタン穴に仮ボタンを組付け、第一ボタン及び仮ボタンに二つの装飾ボタンをそれぞれ組付けるので、特に請求項１に記載の発明のように装飾ボタンの縦断面が台形状の場合は、ワイシャツの第一ボタンを嵌めないことで襟等の自重によって襟元が前傾していても、装飾ボタンの表面側が真っ直ぐに前を向く。すなわち、縦断面が台形状なので、前傾した襟元に装飾ボタンの裏面側が沿うことで、反対側の装飾ボタンの表面側が略鉛直状態となり、装飾ボタンの表面側が目立たせることができる。よって、ネック服飾品の装飾効果が高い。
また、装飾ボタンは縦断面が台形状なので、装飾ボタンをボタン及び仮ボタンに組付けるときに視認でき、その組付けが容易である。
【手続補正１７】
【補正対象書類名】明細書
【補正対象項目名】００３０
【補正方法】変更
【補正の内容】
【００３０】
また、請求項７に記載のネック服飾品の使用方法によれば、ワイシャツの第一ボタンのボタン穴にカフスボタンを組付け、第一ボタンに装飾ボタンを組付けるので、同様に、特に請求項５に記載の発明のように装飾ボタンの縦断面が台形状の場合は、カフスボタンが持つ特有の豪華で重厚な装飾効果を得るとともに、装飾ボタンの表面側を目立たせることができるので、ネック服飾品の装飾効果が高い。